(57)【要約】【課題】袋体が提げ手を有するか否かに拘わらず使用可能な挟層式のペット排泄物受取構造を提供すること。【解決手段】把柄部材１と、把柄部材１の端部１１に枢着される内環部材２及び外環部材３とを備え、外環部材３の内径ｄ２が内環部材１２の外径ｄ１よりも僅かに大きく、外環部材３を内環部材２の外囲に嵌合させた時、内環部材２と外環部材３との間に、排泄物受取用の袋体を挟持する挟持部４が形成される。【選択図】図１
0003196334.tif 000002
【実用新案登録請求の範囲】
【請求項１】
端部を有する把柄部材と、前記端部に枢着される内挟アームと、前記端部に枢着される外挟アームとを備える挟層式のペット排泄物受取構造であって、前記外挟アームが前記内挟アームの外側に位置した時、前記内挟アームと前記外挟アームとの間に、排泄物受取用の袋体を挟持する挟持部が形成されることを特徴とする、挟層式のペット排泄物受取構造。
【請求項２】
前記内挟アームは内環部材であり、前記外挟アームは外環部材であり、前記外環部材の内径が前記内環部材の外径よりも僅かに大きく、前記外環部材を前記内環部材の外囲に嵌合させた時に、前記内環部材と前記外環部材との間に前記挟持部が形成されることを特徴とする、請求項１に記載の挟層式のペット排泄物受取構造。
【請求項３】
前記内環部材を前記把柄部材に対して枢動展開させた状態で位置決めする第１阻止部材と、前記外環部材を前記把柄部材に対して枢動展開させた状態で位置決めする第２阻止部材を有することを特徴とする、請求項２に記載の挟層式のペット排泄物受取構造。
【請求項４】
前記第１阻止部材は、前記端部に設置される第１係止ブロックと、前記内環部材に設置される第２係止ブロックとを備え、前記第１係止ブロックと第２係止ブロックとが係止して、前記内環部材が前記把柄部材に対して位置決めされることを特徴とする、請求項３に記載の挟層式のペット排泄物受取構造。
【請求項５】
前記第２阻止部材は、前記内環部材の外縁に設置される第１斜面と、前記外環部材の内縁に設置される第２斜面とを備え、前記外環部材を前記内環部材の外に嵌合した時に、前記第１斜面が前記第２斜面に当止されて、前記外環部材が前記把柄部材に対して位置決めされることを特徴とする、請求項３に記載の挟層式のペット排泄物受取構造。
【請求項６】
前記内環部材は第１釦部を有し、前記外環部材は第２釦部を有し、前記外環部材を前記内環部材の外囲に嵌合させた時に、前記第１釦部及び前記第２釦部が相互に近接することを特徴とする、請求項２に記載の挟層式のペット排泄物受取構造。
【請求項７】
前記内環部材から第１凸耳が延設され、前記外環部材から第２凸耳が延設され、前記外環部材を前記内環部材の外囲に嵌合させた時に、前記第１凸耳及び前記第２凸耳が相互に近接することを特徴とする、請求項２に記載の挟層式のペット排泄物受取構造。
【請求項８】
前記内環部材の外周面に複数の第１ラッチ部材を有し、前記外環部材の内周面に複数の第２ラッチ部材を有し、前記外環部材を前記内環部材の外囲に嵌合させた時に、前記第１ラッチ部材及び前記第２ラッチ部材が相互に係合することを特徴とする、請求項２に記載の挟層式のペット排泄物受取構造。
【請求項９】
前記内環部材の内側の相対する位置にそれぞれラッチ凸粒が設けられ、前記内環部材を前記把柄部材に対して折り畳んだ時に、前記ラッチ凸粒を前記把柄部材に係合することを特徴とする、請求項２に記載の挟層式のペット排泄物受取構造。
【請求項１０】
前記内環部材の内側の相対する位置にそれぞれ設けた第１枢接ブロックが、前記把柄部材の両側の相対する位置に形成した第１枢接孔に枢接され、前記外環部材の内側の相対する位置にそれぞれ設けた第２枢接ブロックが、前記内環部材の両側の相対する位置に形成した第２枢接孔に枢接されたことを特徴とする、請求項２に記載の挟層式のペット排泄物受取構造。
【請求項１１】
前記内環部材は、前記内環部材を前記把柄部材に対して折り畳んだ時に、前記把柄部材に対応する２つの収容部を有し、前記２つの収容部は、それぞれ前記把柄部材を収納するための収容空間を有し、前記内環部材及び前記把柄部材が同一平面に維持され、前記外環部材は、前記外環部材を前記把柄部材に対して折り畳んだ時に、前記把柄部材に対応する２つの収容部を有し、前記２つの収容部は、それぞれ前記把柄部材を収納するための収容空間を有し、前記外環部材が前記内環部材の外に嵌合されて前記把柄部材と同一平面に維持されることを特徴とする、請求項２に記載の挟層式のペット排泄物受取構造。
【請求項１２】
前記内環部材は細長い平板体を湾曲して形成され、前記２つの収容部の収容空間のうちの１つが、前記平板体間に形成される空透部位であり、前記２つの収容部の収容空間のうちの別の１つが、前記内環部材を軸方向に湾曲させて形成される凹部であり、前記外環部材は細長い平板体を湾曲して形成され、前記２つの収容部の収容空間のうちの１つが、前記平板体間に形成される空透部位であり、前記２つの収容部の収容空間のうちの別の１つが、前記外環部材を軸方向に湾曲させて形成される凹部であることを特徴とする、請求項１１に記載の挟層式のペット排泄物受取構造。
【請求項１３】
前記内環部材は、細長い平板体を湾曲して形成され、前記２つの収容部の収容空間が前記平板体間に形成される２つの空透部位であり、前記外環部材は細長い平板体を湾曲して形成され、前記２つの収容部の収容空間が前記平板体間に形成される２つの空透部位であることを特徴とする、請求項１１に記載の挟層式のペット排泄物受取構造。
【請求項１４】
前記内環部材は封閉環体より成り、前記２つの収容部の収容空間が前記内環部材を軸方向に湾曲させて形成される２つの凹部であり、前記外環部材は、２つの弧形環体を有し、前記２つの収容部の収容空間のうちの１つが前記２つの弧形環体の一端部の間の空透部位であり、前記２つの収容部の収容空間のうちの別の１つが前記外環部材の他端部から前記端部を迂回して形成される別の空透部位であることを特徴とする、請求項１１に記載の挟層式のペット排泄物受取構造。
【考案の詳細な説明】
【技術分野】
【０００１】
本考案は、内環部材と外環部材との間で挟持された袋体を利用してペット排泄物の受け取りに用いられる挟層式のペット排泄物受取構造に関する。
【背景技術】
【０００２】
外出時、ペットが所構わず排便や排尿するのを避けて清潔な環境を維持するために、飼い主は、特許文献１に示すような「受取装置」を使用している。
この受取装置は、把柄体と、受取部品と、蓋体と、ネジと、ナットと、ワッシャーとから構成され、前記受取部品は、蓋体、ネジ、ナット、左ワッシャーと右ワッシャーなどの部材を介して把柄体の先端に緊結される。使用者は、提げ手を有する袋体を別途に用意する必要があり、通常では、２つの提げ手を有する袋体である。受取部品から後向きに２つの掛け耳部が延設され、使用時、前記袋体の２つの提げ手を前記２つの掛け耳部に掛止することにより、前記袋体を前記受取部品上に固定することができる。
【０００３】
また、特許文献２には、挟層構造を有するフン収集装置が開示されている。このフン収集装置は、端部を有する把手と、端部に固定される内枠と、端部に枢接される外枠とからなる。そして、外枠が外側に位置することで、内枠と外枠との間に、ラッチ挟持部が形成されている。
【先行技術文献】
【特許文献】
【０００４】
【特許文献１】台湾実用新案登録第Ｍ３９６００１号公報
【特許文献２】特開２００２−０００１０６号公報
【考案の概要】
【考案が解決しようとする課題】
【０００５】
しかし、特許文献１に記載の「受取装置」は使用時、提げ手を有する袋体と合わせる必要があるため、もし使用されている袋体が提げ手を有しないならば、前記受取部品上に固定することができない。
また、特許文献２に記載のものは、前記外枠が何ら阻止部材を備えていない。そのため、外枠を内枠の外縁に強固に位置決めすることが容易ではないので、ラッチ挟持部が簡単に抜脱されてしまうおそれがある。
本考案が解決しようとする課題は、上述の問題を解決し、袋体が提げ手を有するか否かに拘わらず使用可能な挟層式のペット排泄物受取構造を提供することにある。
【課題を解決するための手段】
【０００６】
本考案は、端部を有する把柄部材と、前記端部に枢着される内挟アームと、前記端部に枢着される外挟アームとを備える挟層式のペット排泄物受取構造に関し、前記外挟アームが前記内挟アームの外側に位置した時、前記内挟アームと前記外挟アームとの間に、排泄物受取用の袋体を挟持する挟持部が形成される。
【０００７】
前記内挟アームは内環部材であり、前記外挟アームは外環部材であり、前記外環部材の内径が前記内環部材の外径よりも僅かに大きく、前記外環部材を前記内環部材の外囲に嵌合させた時に、前記内環部材と前記外環部材との間に前記挟持部を形成してもよい。
前記内環部材を前記把柄部材に対して枢動展開させた状態で位置決めする第１阻止部材と、前記外環部材を前記把柄部材に対して枢動展開させた状態で位置決めする第２阻止部材を有するのが望ましい。
この場合、前記第１阻止部材は、前記端部に設置される第１係止ブロックと、前記内環部材に設置される第２係止ブロックとを備え、前記第１係止ブロックと第２係止ブロックとが係止して、前記内環部材が前記把柄部材に対して位置決めされることがある。
また、前記第２阻止部材は、前記内環部材の外縁に設置される第１斜面と、前記外環部材の内縁に設置される第２斜面とを備え、前記外環部材を前記内環部材の外に嵌合した時に、前記第１斜面が前記第２斜面に当止されて、前記外環部材が前記把柄部材に対して位置決めされることがある。
【０００８】
前記内環部材は第１釦部を有し、前記外環部材は第２釦部を有し、前記外環部材を前記内環部材の外囲に嵌合させた時に、前記第１釦部及び前記第２釦部が相互に近接することがある。
或いは、前記内環部材から第１凸耳が延設され、前記外環部材から第２凸耳が延設され、前記外環部材を前記内環部材の外囲に嵌合させた時に、前記第１凸耳及び前記第２凸耳が相互に近接することがある。
前記内環部材の外周面に複数の第１ラッチ部材を有し、前記外環部材の内周面に複数の第２ラッチ部材を有し、前記外環部材を前記内環部材の外囲に嵌合させた時に、前記第１ラッチ部材及び前記第２ラッチ部材が相互に係合するとよい。
【０００９】
前記内環部材の内側の相対する位置にそれぞれラッチ凸粒を設け、前記内環部材を前記把柄部材に対して折り畳んだ時に、前記ラッチ凸粒を前記把柄部材に係合してもよい。
前記内環部材の内側の相対する位置にそれぞれ設けた第１枢接ブロックが、前記把柄部材の両側の相対する位置に形成した第１枢接孔に枢接され、前記外環部材の内側の相対する位置にそれぞれ設けた第２枢接ブロックが、前記内環部材の両側の相対する位置に形成した第２枢接孔に枢接されることがある。
前記内環部材は、前記内環部材を前記把柄部材に対して折り畳んだ時に、前記把柄部材に対応する２つの収容部を有し、前記２つの収容部は、それぞれ前記把柄部材を収納するための収容空間を有し、前記内環部材及び前記把柄部材が同一平面に維持され、前記外環部材は、前記外環部材を前記把柄部材に対して折り畳んだ時に、前記把柄部材に対応する２つの収容部を有し、前記２つの収容部は、それぞれ前記把柄部材を収納するための収容空間を有し、前記外環部材が前記内環部材の外に嵌合されて前記把柄部材と同一平面に維持されることが望ましい。
【００１０】
前記内環部材は細長い平板体を湾曲して形成され、前記２つの収容部の収容空間のうちの１つが、前記平板体間に形成される空透部位であり、前記２つの収容部の収容空間のうちの別の１つが、前記内環部材を軸方向に湾曲させて形成される凹部であり、前記外環部材は細長い平板体を湾曲して形成され、前記２つの収容部の収容空間のうちの１つが、前記平板体間に形成される空透部位であり、前記２つの収容部の収容空間のうちの別の１つが、前記外環部材を軸方向に湾曲させて形成される凹部であってもよい。
或いは、前記内環部材は、細長い平板体を湾曲して形成され、前記２つの収容部の収容空間が前記平板体間に形成される２つの空透部位であり、前記外環部材は細長い平板体を湾曲して形成され、前記２つの収容部の収容空間が前記平板体間に形成される２つの空透部位であってもよい。
若しくは、前記内環部材は封閉環体より成り、前記２つの収容部の収容空間が前記内環部材を軸方向に湾曲させて形成される２つの凹部であり、前記外環部材は、２つの弧形環体を有し、前記２つの収容部の収容空間のうちの１つが前記２つの弧形環体の一端部の間の空透部位であり、前記２つの収容部の収容空間のうちの別の１つが前記外環部材の他端部から前記端部を迂回して形成される別の空透部位であってもよい。
【考案の効果】
【００１１】
本考案によれば、外挟アームと内挟アームとの間の挟持部により、ペット排泄物を受け取る袋体を強固に挟持することができるため、ペット排泄物を受け取る袋体が取っ手を有するか否かに拘わらず使用することができる。
また、内挟アーム及び外挟アームを把柄部材の端部に枢着したので、内挟アーム及び外挟アームと把柄部材をコンパクトに折り畳むことができる。
【００１２】
なお、外環部材を内環部材の外囲に嵌合させた時に、互いに近接する第１釦部及び第２釦部を設けると、使用者は、指で内環部材上の第１釦部及び外環部材上の第２釦部を相対的にずらし開けることで、内環部材及び外環部材を簡単に分離することができるようになる。
或いは、外環部材を内環部材の外囲に嵌合させた時に、互いに近接する第１凸耳及び第２凸耳を設けると、取っ手を有する袋体にとって、内環部材上の第１凸耳及び外環部材上の第２凸耳により掛止機能を提供していると同時に、使用者は、力を前記第１凸耳及び第２凸耳に作用させることで、内環部材及び外環部材を分離することもできるようになる。
内環部材及び外環部材に２つの収容部を設ければ、それぞれ前記把柄部材を収納するための収容空間を有することにより、前記内環部材及び前記外環部材を前記把柄部材に相対して枢動させ、折り畳んで収納する時に、三者を同一平面に維持させることができて収納し易い。
【図面の簡単な説明】
【００１３】
【図１】本考案の第１実施例を示す挟層式のペット排泄物受取構造の斜視図である。
【図１ａ】本考案の第１実施例に係る内環部材及び外環部材の要部断面図である。
【図２】本考案の第１実施例に係る把柄部材及び内環部材の位置決め状態における一部破断側面図である。
【図３】本考案の第１実施例に係る内環部材及び外環部材の位置決め状態における断面図である。
【図４】本考案の第１実施例を示す挟層式のペット排泄物受取構造のビニール袋体取り付け途中における斜視図である。
【図５】本考案の第１実施例を示す挟層式のペット排泄物受取構造のビニール袋体挟持状態における斜視図である。
【図６】本考案の第１実施例を示す挟層式のペット排泄物受取構造のビニール袋体挟持状態における断面図である。
【図７】本考案の第１実施例を示す挟層式のペット排泄物受取構造の使用状態における側面図である。
【図８】本考案の第１実施例を示す挟層式のペット排泄物受取構造の折り畳み状態における斜視図である。
【図９】本考案の第１実施例を示す挟層式のペット排泄物受取構造の折り畳み状態における平面図である。
【図１０】本考案の第１実施例を示す挟層式のペット排泄物受取構造の折り畳み状態における正面図である。
【図１１】本考案の第２実施例を示す挟層式のペット排泄物受取構造の斜視図である。
【図１２】本考案の第２実施例を示す挟層式のペット排泄物受取構造の平面図である。
【図１３】本考案の第２実施例を示す挟層式のペット排泄物受取構造のビニール袋体取り付け過程第１段階における側面図である。
【図１４】本考案の第２実施例を示す挟層式のペット排泄物受取構造のビニール袋体取り付け過程第２段階における側面図である。
【図１５】本考案の第２実施例を示す挟層式のペット排泄物受取構造のビニール袋体取り付け状態における側面図である。
【図１６】本考案の第３実施例を示す挟層式のペット排泄物受取構造の斜視図である。
【図１７】本考案の第３実施例を示す挟層式のペット排泄物受取構造の折り畳み状態における平面図である。
【図１８】本考案の第４実施例を示す挟層式のペット排泄物受取構造の断面図である。
【考案を実施するための形態】
【００１４】
以下、本考案の実施例を図面に基づいて詳細に説明する。図１〜図１０は、本考案の第１実施例を示す。
図１及び図１ａに示すように、第１実施例の挟層式のペット排泄物受取構造は、把柄部材１と、把柄部材１上に枢接される内環部材２及び外環部材３とを備える。本実施例において、内挟アームが内環部材２で、外挟アームが外環部材３である。図１は、内環部材２及び外環部材３を把柄部材１に相対して枢動展開した状態を示している。
【００１５】
把柄部材１は、端部１１を有する。
内環部材２は、外径ｄ１を有し、端部１１に枢着される。
外環部材３は、内径ｄ２を有し、端部１１に枢着される。
内径ｄ２は外径ｄ１よりもわずかに大きく、外環部材３と内環部材２を同一面上に配置して、外環部材３を内環部材２の外囲に嵌合させた時に、内環部材２と外環部材３との間に、微小な間隔距離Ｄを有する挟持部４が形成される。間隔距離Ｄは、ビニール袋体５の厚さとほぼ相等しくされ、これによりビニール袋体５が挟持される（図４及び図５参照）。
【００１６】
本考案のペット排泄物受取構造は、第１阻止部材と、第２阻止部材とを有する。
図２に示すように、前記第１阻止部材は、内環部材２を把柄部材１に対して所定位置まで枢動展開させた時に、内環部材２を阻止して位置決めするために用いられる。本実施例において、前記第１阻止部材は、端部１１に設置される第１係止ブロック１２と、内環部材２に設置される第２係止ブロック２１とを備える。内環部材２を把柄部材１に対して所定位置まで枢動展開させた時に、第１係止ブロック１２及び第２係止ブロック２１を相互に係止させることにより、内環部材２が前記所定位置に位置決めされる。
【００１７】
図３に示すように、第２阻止部材は、外環部材３を把柄部材１に対して内環部材２の外囲に嵌合させるまで枢動展開させた時に、外環部材３を阻止して位置決めするために用いられる。本実施例において、前記第２阻止部材は、内環部材２の外縁に設置される第１斜面２２と、外環部材３の内縁に設置される第２斜面３１とを備え、外環部材３を内環部材２の外に嵌合させた時に、第１斜面２２は、第２斜面３１に当止し、これにより、外環部材３が内環部材２の外囲に位置決めされる。
【００１８】
図１に示すように、内環部材２は第１釦部２３を有し、外環部材３は第２釦部３２を有する。外環部材３を内環部材２の外囲に嵌合させた時に、第１釦部２３及び第２釦部３２は相互に近接する。したがって、使用者は、内環部材２と外環部材３を分離しようとする時に、指で第１釦部２３及び第２釦部３２を相対的にずらし開けるだけで、内環部材２及び外環部材３を分離することができる。
【００１９】
図４〜図６に示すように、使用時には、まず、内環部材２及び外環部材３を分離して内環部材２を前記所定位置まで枢動させる。次に、ビニール袋体５を内環部材２上に取り付け、その後、再び外環部材３を内環部材２の外囲に嵌合させると、内環部材２と外環部材３との間に生成される挟持部４により、ビニール袋体５が挟持される。したがって、ビニール袋体５が提げ手を有するか否かに拘わらず使用可能となり、図７に示すように、ペット排泄物を受け取るために用いられる。
【００２０】
図８〜図１０に示すように、内環部材２は、内環部材２を把柄部材１に相対して枢動させ、折り畳んで収納する時に、把柄部材１に対応する２つの収容部ｓ１を有する。２つの収容部ｓ１は、１本の直径の両端部に位置し、それぞれ把柄部材１を収納するための収容空間を有し、内環部材２及び把柄部材１を同一平面に維持させる。
本実施例において、内環部材２は、細長い平板体を湾曲して形成され、２つの収容部ｓ１の収容空間のうちの１つが、前記平板体を湾曲させた時に内面間に形成される空透部位２６であり、２つの収容部ｓ１の収容空間のうちの別の１つが、内環部材２を軸方向にＵ字状に湾曲させて形成される凹部２７である。
【００２１】
外環部材３は、外環部材３を把柄部材１に対して枢動させ、折り畳んで収納する時に、把柄部材１に対応する２つの収容部ｓ２を有する。２つの収容部ｓ２は、１本の直径の両端部に位置し、それぞれ把柄部材１を収納するための収容空間を有し、外環部材３を内環部材２の外に嵌合させて把柄部材１と同一平面に維持させる。
本実施例において、外環部材３は細長い平板体を湾曲させて形成され、２つの収容部ｓ２の収容空間のうちの１つが、前記平板体を湾曲させた時に内面間に形成される空透部位３４であり、２つの収容部ｓ２の収容空間のうちの別の１つが、外環部材３を軸方向にＵ字状に湾曲させて形成される凹部３５である。
【００２２】
図９に示すように、内環部材２の内側において相対向する位置にそれぞれラッチ凸粒２５が設けられ、内環部材２を把柄部材１に相対して枢動させ、折り畳んで収納する時に、ラッチ凸粒２５を把柄部材１上に係合させ、これにより、内環部材２及び外環部材３と把柄部材１を折り畳んで収納する時に、両者が位置決めされ、ペット排泄物受取構造を容易に収納できる。
【００２３】
図１１〜図１５は、本考案の第２実施例を示す。
第２実施例において、内挟アームが内環部材２Ａで、外挟アームが外環部材３Ａである。
図１１及び図１２に示すように、本実施例の挟層式のペット排泄物受取構造は、把柄部材１Ａと、把柄部材１Ａに枢着される内環部材２Ａ及び外環部材３Ａとを備える。
内環部材２Ａの内側の相対する位置にはそれぞれ第１枢接ブロック２１Ａが設けられ、第１枢接ブロック２１Ａが把柄部材１Ａの両側の相対する位置に形成された第１枢接孔１１Ａに枢接して、内環部材２Ａが把柄部材１Ａに枢着される。
外環部材３Ａの内側の相対する位置にはそれぞれ第２枢接ブロック３１Ａが設けられ、第２枢接ブロック３１Ａが内環部材２Ａの両側の相対する位置に形成された第２枢接孔２２Ａに枢接される。
さらに説明すべきは、本実施例において、内環部材２Ａから第１凸耳２３Ａが延設され、外環部材３Ａから第２凸耳３２Ａが延設され、外環部材３Ａを内環部材２Ａの外囲に嵌合させた時に、第１凸耳２３Ａ及び第２凸耳３２Ａが相互に近接する。
【００２４】
図１２〜図１５に示すように、内環部材２Ａを折り畳んで収納する位置から所定位置まで枢動展開させて、部外環材３Ａを内環部材２Ａの外囲に嵌合させた時に、２つの取っ手５１Ａを有するビニール袋体５Ａと組み合わせて使用するのであるが、図１３〜図１５では、２つの取っ手５１Ａが重畳する関係であるため、そのうちの１つのみを示している。
ビニール袋体５Ａを取り付けるには、まず、ビニール袋体５Ａを内環部材２Ａの内縁に介装する（図１３参照）。
次に、ビニール袋体５Ａを上から下に折り返すことにより、ビニール袋体５Ａの上半部及び２つの取っ手５１Ａを外環部材３Ａの外囲に位置させる（図１４参照）。
その後、２つの取っ手５１Ａを第１凸耳２３Ａ及び第２凸耳３２Ａの存在箇所まで引っ張り続けると、２つの取っ手５１Ａを第１凸耳２３Ａ及び第２凸耳３２Ａ上に掛止することになる（図１５参照）。こうして、取っ手５１Ａを有するビニール袋体５Ａにとって、内環部材２Ａ上の第１凸耳２３Ａ及び外環部材３Ａ上の第２凸耳３２Ａにより掛止機能も提供している。
【００２５】
さらに、掛止機能を提供する以外に、使用者は、両手でそれぞれ第１凸耳２３Ａ及び第２凸耳３２Ａを握持して離反方向に力を作用させると、内環部材２Ａ及び外環部材３Ａを分離するように補助することができる。
第１凸耳２３Ａ及び第２凸耳３２Ａにより、内環部材２Ａ及び外環部材３Ａの分離を補助するこの機能は、取っ手を有しないビニール袋体を使用した場合にも発揮できるものである。取っ手を有しないビニール袋体は、内環部材２Ａ及び外環部材３Ａによる挟持のみで固定されているので、挟持を解除する必要がある時に、両手で第１凸耳２３Ａ及び第２凸耳３２Ａに対して離反方向に力を作用させるだけで、内環部材２Ａ及び外環部材３Ａを軽易に分離することができ、取っ手を有しない前記ビニール袋体を取り外すことができる。
【００２６】
図１２に示すように、内環部材２Ａは、内環部材２Ａ及び外環部材３Ａを把柄部材１Ａに対して折り畳んで収納する時に、把柄部材１Ａに対応する２つの収容部ｓ１を有する。２つの収容部ｓ１がそれぞれ把柄部材１Ａを収納するための収容空間を有することにより、内環部材２Ａ及び把柄部材１Ａを同一平面に維持させることができる。
外環部材３Ａも、把柄部材１Ａに対応する２つの収容部ｓ２を有する。２つの収容部ｓ２がそれぞれ把柄部材１Ａを収納するための収容空間を有することにより、外環部材３Ａを内環部材２Ａの外に嵌合させて把柄部材１Ａと同一平面に維持させることができる。
本実例において、内環部材２Ａは細長い平板体を湾曲して形成され、２つの収容部ｓ１の収容空間は、前記平板体を湾曲させた時に平板体間に形成される２つの空透部位２４Ａである。外環部材３Ａは細長い平板体を湾曲させて形成され、２つの収容部ｓ２の収容空間は、前記平板体を湾曲させた時に平板体間に形成される２つの空透部位３３Ａである。本実施例も同様に、収納し易い利点を有している。
【００２７】
図１６及び図１７は、本考案の第３実施例を示す。
第３実施例において、内挟アームが内環部材２Ｂで、外挟アームが外環部材３Ｂである。
図１６及図１７に示すように、本実施例の挟層式のペット排泄物受取構造は、把柄部材１Ｂと、把柄部材１Ｂの端部１１Ｂに枢着される内環部材２Ｂ及び外環部材３Ｂとを備える。
内環部材２Ｂは、内環部材２Ｂ及び外環部材３Ｂを把柄部材１Ｂに対して折り畳んで収納する時に、把柄部材１Ｂに対応する２つの収容部ｓ１を有する。２つの収容部ｓ１がそれぞれ把柄部材１Ｂを収納するための収容空間を有することにより、内環部材２Ｂ及び把柄部材１Ｂを折り畳んで収納する時に同一平面に維持させることができる。
外環部材３Ｂも、把柄部材１Ｂに対応する２つの収容部ｓ２を有することにより、外環部材３Ｂと前記把柄部材１Ｂを折り畳んで収納する時に同一平面に維持させることができる。
【００２８】
本実施例において、内環部材２Ｂは封閉環体より成り、２つの収容部ｓ１の収容空間は、内環部材２Ｂを軸方向にＵ字状に湾曲させて形成される２つの凹部２１Ｂである。外環部材３Ｂは、２つの弧形環体を有し、２つの収容部ｓ２の収容空間のうちの１つが、前記２つの弧形環体の一端部間の空透部位３１Ｂであり、２つの収容部ｓ２の収容空間のうちの別の１つが、外環部材３Ｂの他端部から端部１１Ｂを迂回して形成される別の空透部位３２Ｂである。
本実施例において、挟層式のペット排泄物受取構造の使用方法については、第１実施例と同様であるので、ここでの説明を省略する。
【００２９】
図１８は、本考案の第４実施例を示す。
図１８に示すように、本実施例の挟層式のペット排泄物受取構造は、把柄部材１Ｃと、把柄部材１Ｃに枢着される内環部材２Ｃ及び外環部材３Ｃとを備える。
外環部材３Ｃを内環部材２Ｃの外囲に嵌合させた時に、内環部材２Ｃと外環部材３Ｃとの間に挟持部４Ｃが形成されている。
内環部材２Ｃの外周面に複数の第１ラッチ部材２１Ｃ（本実施例は、ラッチ凸粒）を形成し、外環部材３Ｃの内周面に複数の第２ラッチ部材３１Ｃ（本実施例は、ラッチ凹溝）を形成し、外環部材３Ｃを内環部材２Ｃの外囲に嵌合させた時に、第１ラッチ部材２１Ｃ及び第２ラッチ部材３１Ｃを相互に係合することにより、内環部材２Ｃと外環部材３Ｃが結合されて位置決めされる。
ペット排泄物受取構造の使用方法については、第１実施例と同様であるので、ここでの説明を省略する。
【００３０】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００３１】
１：把柄部材
１１：端部
１２：第１係止ブロック
２：内環部材
２１：第２係止ブロック
２２：第１斜面
２３：第１釦部
２５：ラッチ凸粒
２６：空透部位
２７：凹部
３：外環部材
３１：第２斜面
３２：第２釦部
３４：空透部位
３５：凹部
４：挟持部
５：ビニール袋体
１Ａ：把柄部材
１１Ａ：第１枢接孔
２Ａ：内環部材
２１Ａ：第１枢接ブロック
２２Ａ：第２枢接孔
２３Ａ：第１凸耳
２４Ａ：空透部位
３Ａ：外環部材
３１Ａ：第２枢接ブロック
３２Ａ：第２凸耳
３３Ａ：空透部位
５Ａ：ビニール袋体
５１Ａ：取っ手
１Ｂ：把柄部材
１１Ｂ：端部
２Ｂ：内環部材
２１Ｂ：凹部
３Ｂ：外環部材
３１Ｂ：空透部位
３２Ｂ：空透部位
１Ｃ：把柄部材
２Ｃ：内環部材
２１Ｃ：第１ラッチ部材
３Ｃ：外環部材
３１Ｃ：第２ラッチ部材
４Ｃ：挟持部
Ｄ：間隔距離
ｄ１：外径
ｄ２：内径
ｓ１：収容部
ｓ２：収容部
【図１】
0003196334.tif 000003
【図１ａ】
0003196334.tif 000004
【図２】
0003196334.tif 000005
【図３】
0003196334.tif 000006
【図４】
0003196334.tif 000007
【図５】
0003196334.tif 000008
【図６】
0003196334.tif 000009
【図７】
0003196334.tif 000010
【図８】
0003196334.tif 000011
【図９】
0003196334.tif 000012
【図１０】
0003196334.tif 000013
【図１１】
0003196334.tif 000014
【図１２】
0003196334.tif 000015
【図１３】
0003196334.tif 000016
【図１４】
0003196334.tif 000017
【図１５】
0003196334.tif 000018
【図１６】
0003196334.tif 000019
【図１７】
0003196334.tif 000020
【図１８】
0003196334.tif 000021